(57)【要約】【課題】  筋力補助具の小型化、コスト等を含めた使難さなどの不具合を改善し、使い勝手を容易にし、シート状物の組み合わせで嵩張らず美観もよく、コンパクト化し、かつ負担にならない価格にでき、さらに歩行時のつまずき、椅子からの立ち上がりの際の膝折れを防止できる筋力補助具を提供する。【解決手段】弾力性を有する短、長尺の筋力補助シートからなる伸縮帯を骨盤から足首サポータ間に張設し、伸縮帯上端部は骨盤ベルトに着脱自在に装着し、該伸縮帯下端部は踵に装着する足首サポータの前端部に装着し、歩行時のつまずき、膝折れ、使い勝手、装着時の美観、補助具のコストダウンを図ったことを特徴とする筋力補助具である。【選択図】図１
2009039489.tif 000002
【特許請求の範囲】
【請求項１】
大腿四頭筋等、及び前頸骨筋の筋力補助具において、骨盤に着脱自在に装着する骨盤バンドと、足首に着脱自在に装着する足首サポータとの間に、弾性を有する短、長尺の筋力補助シートを一体に積層した着脱可能に架設した伸縮帯を設け、該長尺筋力補助シートは少なくとも顔面側の大腿四頭筋、大腿直筋、外側広筋、及び前頸骨筋の一部を覆い着脱自在に装着し、前記短尺筋力補助シートは上記シートの大腿四頭筋、大腿直筋、及び外側広筋の一部を覆うように一体に構成したことを特徴とする筋力補助具。
【請求項２】
骨盤バンドと伸縮帯、足首サポータを個々に形成し、一体化したことを特徴とする請求項１記載の筋力補助具。
【請求項３】
伸縮帯の短尺筋力補助シート、及び長尺筋力補助シートをほぼ三角形状に形成したことを特徴とする請求項１，または２記載の筋力補助具。
【発明の詳細な説明】
【技術分野】
【０００１】      本発明は、脚力等が低下した人達の膝崩れ、及び歩く際のつまずきを防止するための大腿四頭筋と前頸骨筋等の筋力の補強を身体外部から補助する筋力補助具に関する。
【技術的背景】
【０００２】      従来の筋力補助具には、大掛かりな機械を作り、これを脚部に装着することにより筋力強化の補助を施したものがある。（例えば、特許文献１参照）
【０００３】
【特許文献１】特許公開２００７−９７６３６号公報
【発明の開示】
【発明が解決しようとする課題】
【０００４】      しかしながら、特許文献１に記載の筋力補助具では、その補助具製造のコスト高と製作時間が膨大となり、高価なものとなる不利があった。さらに、このような筋力補助具を装着して使用する人は、重く、動き難く、見た目も大掛かりな補助具となり、外観からいかにも脚力の弱さを誇張する好ましくない欠点もあった。また、普段の日常生活では、装置が大がかりのため準備などに時間や煩雑さがあり、安易に使用しえない不利があった。
【課題を解決するための手段】
【０００５】      本発明は、このような欠点を除去するため、筋力が低下した使用筋肉に対する補強として弾力性を有する新規な伸縮帯を設け、かつ骨盤にバンドと、足首にサポータ間に装着し、上記伸縮帯の上下端部を着脱自在、又は固定して装着する単純な構成としたものである。【０００６】    また、補助具全体がシート状物、面ファスナー等の組み合わせのため装着が極めて簡単、容易であり、装着時の外観、美観も目立ち難く、かつ各種サイズも広範囲に用意でき、しかも製造行程を大幅に削減できるためコストダウンを達成でき誰でもが容易に購入できる利点もある。【０００７】    さらに、装着時の外観はシート状物の装着のため厚さが殆ど表面に表れずスッキリした美観にでき、特に、例えばズボン等の内側に装着した際は、外部からは識別できにくく、日常生活でも安易に使用できる筋力補助具も提供することができるものである。
【発明の効果】
【０００８】      本発明に係る筋肉補助具によれば、大腿四頭筋と前脛骨筋の働き等が低下した人の筋肉に弾力性のある伸縮帯で補強する構成の筋肉補助具のため椅子に腰掛けた状態から立ち上がる際の筋力補強で立ち上がりをスムーズに補助しできる。さらに、立ち上がった状態での膝崩れ防止を図ることができる。また、膝より下部の前頸骨筋の筋力を補強するため歩く際に生じるつまずき等を阻止できる。【０００９】      しかも、本発明に係る筋肉補助具は弾力性のあるシートの組み合わせによる構成のため製造が容易で価格も安価にできる。さらに、構成材がシート材、面ファスナー等の組み合わせのため、嵩張らず、外観もスッキリし、かつ着脱が極めて容易となる。
【発明を実施するための最良の形態】
【００１０】      以下に、図面を用いて本発明に係る筋肉補助具の一実施例を詳細に説明する。
図１（ａ），（ｂ）は本発明に係る筋肉補助具を装着（張設）した状態で示す概略説明図、図２（ａ），（ｂ）は本発明に係る筋肉補助具を詳細に示す正面図と断面図である。これら図において、１は伸縮帯で弾性を有する短尺筋肉補助シート２、及び長尺筋肉補助シート３を一体に構成したものである。また、４は骨盤バンドで端部に着脱自在な装着構造、例えば面ファスナー５を固定してあり、６は足首サポータである。【００１１】      さらに詳しく説明すると、伸縮帯１は身体に直接、または服装の上から装着するものであり、弾力性は筋力の低下度合い対応した数値近傍、例えば２〜１０ｋｇ等に設定するものである。また、伸縮帯３は図１，図２に示すように身体の顔面側の大腿四頭筋▲１▼、大腿直筋▲２▼、外側広筋▲３▼、及び前頸骨筋▲４▼の少なくとも１部を覆う例えば三角形状の幅、長さであり、かつ骨盤バンド４，足首サポータ６に固定、又は着脱自在に、張設したものである。【００１２】      伸縮帯１の短尺筋力補助シート２は、長尺筋力補助シート３の例えば表面側に設け、主に大腿四頭筋▲１▼、大腿直筋▲２▼、及び外側広筋▲３▼の存在範囲を覆い、これら筋力の低下を補強するためのものであり、骨盤バンド４にその上端部を装着する。また、長尺筋力補助シート３は上記筋肉▲１▼〜▲３▼の他に全頸骨筋▲４▼の少なくとも一部を覆う幅、長さであり、しかも上端部は骨盤バンド４に固定、或いは図示するように面ファスナー５を介して装着し、下端は足首サポータ６に係止する等の手段を介して装着する。勿論、いずれの端部も固定、又は着脱自在な構造で装着する。【００１３】    骨盤バンド４は、身体の骨盤に装着して伸縮帯１の支持機能を持つものであり、ゴムバンドや複数素材の組み合わせから成るシートと、その端部に例えば、面ファスナー５を固定して骨盤バンド４の着脱自在を図る構成である。【００１４】    足首サポータ６は、足首に係止具、例えば面ファスナー、フック、ホック、その他の装着具で着脱自在に装着でき、踵からあまり離脱しないように、例えば、Ｌ字状断面に形成したものであり、伸縮端１の長尺筋力補助シート２の下端を前端部６ａに装着するものである。なお、上記骨盤バンド４と足首サポータ６は、伸縮帯１を起立した状態で負荷が殆ど加わらない程度に張設した状態で装着する。【００１５】    以上説明したのは、本発明に係る筋力補助具の一実施例であり、短尺、長尺筋力補助シートを個々に製造しないで、これらの補強機能を一体物の中に構造的に形成した伸縮帯、或いは短、長尺筋力補助シートの形状を３角形以外の例えば、展開図では円錐形状、円筒状等に形成すること、位置、方向性で弾力性の異なる繊維をネット状に編み込んだような伸縮帯等に構成することもできる。
【図面の簡単な説明】
【００１６】
【図１】本発明に係る筋力補助具を装着した場合の一実施例を示す概略説明図である。
【図２】本発明に係る筋力補助具の一実施例を示す筋力補助具の正面図と断面図である。
【符号の説明】
【００１７】    １  伸縮帯
２  短尺筋力補助シート
３  長尺筋力補助シート
４  骨盤バンド
５  面ファスナー
６，足首サポータ
【図１】
2009039489.tif 000003
【図２】
2009039489.tif 000004